(57)【要約】      （修正有）【課題】女性の胸部を美しく形づくるとともに位置を適切に保ち、型くずれしにくく長寿命なブラジャー等の内カップ体を提供する。【解決手段】ブラジャー等で用いる略椀状の内カップ体２が、外側端から延設され肩ストラップ３４と連結可能な連結部２０、それに隣接する凹部２１をなす上縁及び、該凹部２１と連設される凸弧状部分２２をなす上縁とを備える。凸弧状部分２２は、その最低点ｂ・凹部２１の最低点ａを通る第１仮想直線ｃより上に位置する乳頭遮蔽部２３を備えると共に、乳頭遮蔽部２３を平らにした状態において、その最高点ｄと第１仮想直線ｃの距離が２．５ｃｍ以上であって、乳頭遮蔽部２３は着用者の乳房４の乳頭４０を被覆する厚さ１ｍｍないし９ｍｍの相対厚部２４を有し、相対厚部２４の比重が該乳頭遮蔽部２３の残部分の比重よりも大きくなるように構成する。【選択図】図２
2008019549.tif 000002
【特許請求の範囲】
【請求項１】
ブラジャー等で用いる略椀状の内カップ体（２）が、
外側端と、
該外側端から延設され肩ストラップ（３４）と連結可能な連結部（２０）と、
該連結部（２０）に隣接する凹部（２１）をなす上縁及び、該凹部（２１）と連設される凸弧状部分（２２）をなす上縁と
を備える構成であって、
該凸弧状部分（２２）は、
凸弧状部分（２２）の最低点（ｂ）及び凹部（２１）の最低点（ａ）を通る第１仮想直線（ｃ）より上に位置する乳頭遮蔽部（２３）を備えると共に、
該乳頭遮蔽部（２３）を平らにした状態において、該乳頭遮蔽部（２３）の最高点（ｄ）と該第１仮想直線（ｃ）の距離が２．５ｃｍ以上であって、
該乳頭遮蔽部（２３）は着用者の乳房（４）の乳頭（４０）を被覆する厚さ１ｍｍないし９ｍｍの相対厚部（２４）を有し、該相対厚部（２４）の比重が該乳頭遮蔽部（２３）の残部分の比重よりも大きくなるように構成した
ことを特徴とするブラジャー等の内カップ体。
【請求項２】
ブラジャー等で用いる略椀状の内カップ体（６）が、上縁を備えると共に、
該上縁が、上方に収束する凸弧状部分（６０）をなし、
該凸弧状部分（６０）は、
該凸弧状部分（６０）の内側の最低点（ｋ）及び該凸弧状部分（６０）の外側の最低点（ｌ）を通る第２仮想直線（ｉ）より上に位置する乳頭遮蔽部（６１）を備えると共に、
該乳頭遮蔽部（６１）を平らにした状態において、該乳頭遮蔽部（６１）の最高点（ｄ）と該第２仮想直線（ｉ）の距離が２．５ｃｍ以上であって、
該乳頭遮蔽部（６１）は着用者の乳房（４）の乳頭（４０）を被覆する厚さ１ｍｍないし９ｍｍの相対厚部（６２）を有し、該相対厚部（６２）の比重が該乳頭遮蔽部（６１）の残部分の比重よりも大きくなるように構成した
ことを特徴とするブラジャー等の内カップ体。
【請求項３】
前記ブラジャー等の内カップ体を、
シリコンゴム、ラテックスゴム、合成シリコンゴム、合成ラテックスゴムのいずれかにより成形する
請求項１又は２に記載のブラジャー等の内カップ体。
【請求項４】
前記乳頭遮蔽部の最高点と、前記第１又は第２仮想直線との距離が２．５ｃｍないし６ｃｍである
請求項１ないし３のいずれかに記載のブラジャー等の内カップ体。
【請求項５】
前記乳頭遮蔽部が、前記相対厚部よりも薄く、該相対厚部の上方に位置する相対薄部を備えた
請求項１ないし４のいずれかに記載のブラジャー等の内カップ体。
【請求項６】
前記相対厚部が、前記第１又は第２仮想直線よりも下方３ｃｍ以内のいずれかの位置まで延設された
請求項１ないし５のいずれかに記載のブラジャー等の内カップ体。
【請求項７】
前記相対厚部が、空気循環の流路となる少なくとも１つの間隙部を有する
請求項１ないし６のいずれかに記載のブラジャー等の内カップ体。
【請求項８】
前記相対厚部が、前記間隙部を形成する少なくとも２つの突起部を備えた
請求項７に記載のブラジャー等の内カップ体。
【請求項９】
前記乳頭遮蔽部の両側の中間点同士の距離が、４ｃｍないし９ｃｍである
請求項１ないし８のいずれかに記載のブラジャー等の内カップ体。
【請求項１０】
前記乳頭遮蔽部の両側の中間点同士を通る第３仮想直線が、前記第１又は第２仮想直線と平行である
請求項９に記載のブラジャー等の内カップ体。
【請求項１１】
前記ブラジャー等の内カップ体において、
下縁に接続片を備えた
請求項１ないし１０のいずれかに記載のブラジャー等の内カップ体。
【発明の詳細な説明】
【技術分野】
【０００１】
本発明はブラジャーや被服の胸部に装着する内カップ体、特に変形しにくい内カップ体に関する。
【背景技術】
【０００２】
ブラジャーは女性の胸部を持ち上げたり、中央に寄せたり、美しく見せたり、保護したりといった役割をもっている。典型的なブラジャーは、布で作られていたり、上げたり寄せたりする効果を持たせるために発泡体あるいはスポンジ質の内張りを有するブラジャーのカップ体（パッド）を備えている。
【０００３】
しかしながら、カップは着用と洗濯を繰り返すうちに、変形したり、たるみが生じたりする。そのため、図1に示すように、ブラジャー１の上端縁１０を着用者の乳房１１と密着させることができない。
【０００４】
すなわち、ブラジャー１の上端縁１０と着用者の乳房１１に隙間１２が生じ、その結果、乳頭１３が露出して着用者が困惑したり不愉快を感じることになる。さらに、布で作られたブラジャー１は、変形しやすく、美しく見せるという目的にも悪影響があり、しかも寿命が短い。
【０００５】
従来知られている技術として特許文献１に開示される技術がある。
【特許文献１】特開２００４-１３７６３７号公報
【発明の開示】
【発明が解決しようとする課題】
【０００６】
本発明は上記の従来技術が有する問題点に鑑みて創出したものであり、女性の胸部を美しく形づくるとともに位置を適切に保ち、型くずれしにくく長寿命な内カップ体を提供することを目的とする。
【課題を解決するための手段】
【０００７】
上記課題を解決するため、本発明は次のような手段を用いる。
【０００８】
本発明の第１の特徴によると、略椀状のブラジャー等の内カップ体は外側の縁部を有している。なお、本発明で言うブラジャー等とは、主としてブラジャーであるが、実施例で示すような被服の胸部を覆う形状をした部分も含む意味である。
【０００９】
外側の端に延設される連結部は、肩ストラップの一端と連結自在になっている。ブラジャー等の内カップ体はさらに連結部に隣接して凹弧状をなす上縁を備えている。その上縁はさらに凹弧状の部分に隣接して上方に収束する凸弧状の部分を含んでいる。
【００１０】
凸弧状部分は、凸弧状部分の内側の最も低い点と、凹弧状部分の最も低い点とを結ぶ仮想直線よりも上に位置する乳頭遮蔽部を備えている。
【００１１】
乳頭遮蔽部を平らにした状態で、乳頭遮蔽部の最高点から該仮想直線までの距離は少なくとも２．５ｃｍである。
【００１２】
乳頭遮蔽部は着用者の乳房乳頭を覆う相対厚部を有し、その厚みは１〜９ｍｍである。相対厚部は乳頭遮蔽部における残りの部分よりも重厚に形成され、それによって乳頭遮蔽部が着用者の乳房と密着する。
【００１３】
本発明の第２の特徴によると、略椀状のブラジャー等の内カップ体は上向きに収束する凸弧状部分を含む上縁を有する。
【００１４】
凸弧状部分は、凸弧状部分の内側の最も低い点と、凸弧状部分の外側の最も低い点とを結ぶ仮想直線よりも上に位置する乳頭遮蔽部を備えている。
【００１５】
乳頭遮蔽部を平らにした状態で、乳頭遮蔽部の最高点から該仮想直線までの距離は少なくとも２．５ｃｍである。
【００１６】
乳頭遮蔽部は着用者の乳房乳頭を覆う相対厚部を有し、その厚みは１〜９ｍｍである。相対厚部は乳頭遮蔽部における残りの部分よりも厚みをもって形成され、それによって乳頭遮蔽部が着用者の乳房と密着する。
【００１７】
より好ましくは、本ブラジャー等の内カップ体はシリコンゴム、ラテックスゴム、または合成シリコンゴム、合成ラテックスゴムで作ることができる。
【００１８】
好ましくは乳頭遮蔽部の最高点から該仮想直線までの距離は２．５〜６ｃｍとしてもよい。
【００１９】
乳頭遮蔽部は相対厚部の上方に相対厚部より薄い相対薄部を備えることができる。
【００２０】
相対厚部は該仮想直線よりも下方の位置に延設され、その位置と該仮想直線の距離は２ｃｍないし３ｃｍ以下としてもよい。
【００２１】
相対厚部には、空気循環のための流路となる少なくとも１カ所の間隙部を設けることができる。
【００２２】
相対厚部には間隙部を形成する少なくとも２つの突起部を設けることができる。
【００２３】
ブラジャー等の内カップ体にはその下側の縁に取り付けられた接続片を具備することができる。
【００２４】
好ましくは、乳頭遮蔽部の両側における２つの中間点同士の距離を４〜９ｃｍとすることができる。
【００２５】
さらに、本発明の第１の特徴に関して、乳頭遮蔽部の両側における２つの中間点を通る仮想直線は、凸弧状部分の内側の最も低い点と、凹弧状部分の最も低い点とを結ぶ仮想直線と平行にしてもよい。
【００２６】
また、本発明の第２の特徴に関して、乳頭遮蔽部の両側における２つの中間点を通る仮想直線は、凸弧状部分の内側の最も低い点と、凸弧状部分の外側の最も低い点とを結ぶ仮想直線と平行にしてもよい。
【発明の効果】
【００２７】
本発明に係る内カップ体は、優れた可塑性と形状復元性を有し、着用者の胸部に密着しやすくなっている。乳房が垂れ下がらず、持ち上げられ、位置が定められる。そして、持ち上げたり、中央に寄せたり、形を整える目的が達成される。
【００２８】
さらに、ブラジャーの内カップ体の上縁が、外へ向かって折れないので、着用者の乳頭が露出されるのを防ぐ。
【００２９】
また、肩ストラップと共に使用する場合、乳頭遮蔽部は、肩ストラップを持ち上げ際のけん引力に影響を受けず、着用者の乳房と密着する。
【００３０】
着用者の乳房が圧迫されることがないので、完全な形を保つことができる。
【００３１】
本発明によるブラジャーの内カップ体を使用するブラジャーは、型くずれがしにくく、長寿命化に寄与する。
【００３２】
胸元のあいたドレスで内カップ体を使用する場合にも胸の形を完全に保つことができる。
【発明を実施するための最良の形態】
【００３３】
以下、添付図面に基づいて詳細な説明を参照することによって、本発明の目的、利点、および特徴を明らかにする。
【実施例１】
【００３４】
図２及び図３に示すように、本発明によるブラジャーの内カップ体２は、略椀状（ボール状）であり、女性の胸部の輪郭と適合する凹形の内側の表面を含むように形成されている。
【００３５】
ブラジャーの内カップ体２はシリコンゴム、ラテックスゴム、または合成シリコンゴム、合成ラテックスゴムで製造することができる。
【００３６】
該内カップ体２は、内側の縁部と、肩ストラップ３４の一端に接続するように連結部２０が延伸する外側の縁部とを有している（図５参照）。その上縁において、連結部２０に隣接する凹部２１を有している。さらにその上縁は凹部２１に隣接して上方に収束する凸弧状部分２２を含んでいる。
【００３７】
図２に示すように凸弧状部分２２は、その内側（乳房間側）の最も低い点（ｂ）と、凹部２１の最も低い点（ａ）とを結ぶ仮想直線よりも上に位置する乳頭遮蔽部２３を備えている。
【００３８】
乳頭遮蔽部２３を平らにした状態で、乳頭遮蔽部２３の最高点（ｄ）から該仮想直線（ｃ）までの距離は少なくとも２．５ｃｍ（より好ましくは２．５ｃｍないし６ｃｍ）である。
【００３９】
着用者の乳房乳頭を十分に覆うことができるように、乳頭遮蔽部２３の両側におけるそれぞれの中間点（ｊ）（ｊ）同士の距離（ｇ）は４〜９ｃｍとしている。
【００４０】
より好ましい実施例として、乳頭遮蔽部２３の両側における２つの中間点（ｊ）（ｊ）を通る仮想直線（ｆ）は、仮想直線（ｃ）と平行にしてもよい。
【００４１】
同様に、乳頭遮蔽部２３は、着用者の乳房乳頭を覆う相対厚部２４を有することができ、その厚みは１ないし９ｍｍとしてもよい。
【００４２】
さらに乳頭遮蔽部２３には、相対厚部２４よりも相対的に薄く、着用者の乳房の乳頭より上の部分を覆うように相対厚部２４の上方に相対薄部を設けることができる。相対薄部の厚みは０．８ｍｍとしてもよい。
【００４３】
ブラジャーの内カップ体２には、乳頭遮蔽部２３の下方に、包覆部２５が形成されている。
【００４４】
ブラジャーの内カップ体２の下縁に沿って接続片２６を設けてもよい。
【００４５】
乳頭遮蔽部２３の領域が小さい場合、図４に示すように相対厚部２４を仮想直線（ｃ）よりも下方に向けて延設することもできる。
【００４６】
延設した最下点と、仮想直線（ｃ）との距離は２ｃｍ以下とするが、必要により３ｃｍ以下としてもよい。
【００４７】
図５及び図６に示すように、本発明にかかるブラジャーの内カップ体２をブラジャー３に用いる場合、各内カップ体２は、カップ３０の裏側（体側）の層３１と表側の層３２との間に縫い込まれる。すなわち、ブラジャーの内カップ体２はカップ３０の中におおわれる状態となる。
【００４８】
図６に示す弾力のある鉄製リング３３を、ブラジャーの内カップ体２の下縁の接続片２６と接続して埋め込むこともできる。該鉄製リング３３は縫製によりカップ３０の裏・表の層３１，３２の下端の縁部によって覆われるようにしてもよい。これにより、該鉄製リング３３はカップ３０の下端の縁部に固定される。
【００４９】
加えてブラジャー３は２本の肩ストラップ３４を有し、それらの一端が該カップ３０の接続部分（付番していない）と連結されている。肩ストラップ３４の該一端と、ブラジャーの内カップ体２の連結部２０を縫いつけることができる。
【００５０】
ブラジャー３は各カップ３０の外側から連設されるバックストラップ３５を有し、各肩ストラップ３４の他端がそれと接続されている。バックストラップ３５は内カップ体２の外側面に縫いつけてもよい。
【００５１】
図７は本発明にかかる内カップ体２を装着したブラジャー３を着けた着用者を示している。
【００５２】
ブラジャーの内カップ体２は、極めて良好な可塑性と形状の復元性を有し、ブラジャー３０のカップ３は着用者の乳房４と密着する。各内カップ体２の弾力のある鉄製リング３３と包覆部２５は乳房４の下部を保持すると共に、位置を合わせ、また連結部２０および肩ストラップ３４により持ち上げる効果も奏する。
【００５３】
乳房４が垂れ下がることなく持ち上げられると共に位置が決まるので、中央に寄せたり、形を整えたりといった効果を高めた胸部を実現することができる。
【００５４】
カップ３に取り付けた内カップ体２の乳頭遮蔽部２３は、乳頭４０をカバーする相対厚部２４や、相対厚部２４と隣接し、着用者の乳房乳頭４０の上方と密着する相対薄部を備えて、乳房４の中央領域をカバーする。
【００５５】
各ブラジャーの内カップ体２における相対厚部２４と相対薄部を設けたことによって、乳頭遮蔽部２３は着用者の乳房４と確実に密着する。
【００５６】
着用者が前にかがんだ時、相対厚部２４の方が重いためカップ３０の上縁が前側に折れることがなく、これによって形状の復元性が改善する。その結果、乳頭４０の上方をカバーする相対薄部と相対厚部２４によって乳頭４０を確実に覆うことができ、乳頭４０が露出するのを防ぐことができる。
【００５７】
さらに、着用者が調整のために肩ストラップ３４を持ち上げる時、連結部２０と乳頭遮蔽部２３の間の凹部２１によって、連結部２０と包覆部２５が持ち上げられても乳頭遮蔽部２３に力が伝達するのを遮断することができる。これによって、肩ストラップ３４が上向きに持ち上げられるときに乳房４の中央部が圧せられるのを防止することができる。
【００５８】
より詳しく述べると、肩ストラップ３４を持ち上げることで生じるけん引力が包覆部２５を上方に移動させる。一方、該けん引力は乳頭遮蔽部２３に隣接する領域で吸収される。このため、乳頭遮蔽部２３は、けん引力に影響されることがなく、着用者の乳房４を圧せずに乳房４に密着させることができる。
【００５９】
これによって快適な着用感を与えながら、完全な胸の形を提供することができる。
【００６０】
さらに、内カップ体２の優れた可塑性と形状復元性により、望まないブラジャー３の変形がほとんど起こりにくく、長寿命の製品に寄与する。
【００６１】
本発明によるブラジャーの内カップ体２において、相対厚部２４の裏側（体側）表面に少なくとも１つの間隙部を設けることができる。該間隙部は少なくとも２つの突起部により形成する。該突起部は、図８に示すようなリブ様の突起部５１や、図９に示すような網目状の突起部５２、あるいは図１０に示すようならせん形構造の突起部５３、図１１に示すような点状の突起部５４とすることができる。該突起部は、通気性をよくするために空気循環の流路となる。
【実施例２】
【００６２】
図１２は肩ストラップのないブラジャーや、胸元のあいたドレスで本発明に係るブラジャーの内カップ体６を使用する際の別実施例である。
【００６３】
本実施例では、ブラジャーの内カップ体６は、略椀状をなし、上向きに収束する凸弧状部分６０を含む上縁を有している。凸弧状部分６０は凸弧状部分６０の内側（乳房間側）の最も低い点（ｋ）と凸弧状部分６０の外側の最も低い点（ｌ）を通る仮想直線（ｉ）よりも上に形成される乳頭遮蔽部６１を有する。
【００６４】
図２の実施例と同様に、乳頭遮蔽部６１を平らにした状態で、乳頭遮蔽部６１の最高点（ｄ）から仮想直線（ｉ）までの距離は２．５ｃｍ以上であり、より好ましくは２．５ｃｍないし６ｃｍである。
【００６５】
乳頭遮蔽部６１の両側の中間点（ｊ）（ｊ）の距離（ｇ）は４〜９ｃｍであり、着用者の乳房乳頭を覆うのに十分な長さとする。
【００６６】
より好ましくは、中間点（ｊ）（ｊ）を結ぶ仮想直線（ｆ）は仮想直線（ｉ）と平行にしてもよい。
【００６７】
より好ましくは、乳頭遮蔽部６１に、着用者の乳房乳頭をカバーする厚み１ないし９ｍｍの相対厚部６２を設けてもよい。
【００６８】
さらに乳頭遮蔽部６１に、乳房における乳頭より上方の部分を少なくとも覆う相対厚部よりも薄い相対薄部を設けてもよい。
【００６９】
相対厚部６２の外側で内カップ体６の残りの部分は一定の厚みを持たせることができる。
【００７０】
図１３に示すように、胸元のあいたドレス７で内カップ体６を用いる場合には肩ストラップを用いず、図示しないバックストラップを各内カップ体６の外側面に接続することで、着用者の胸に内カップ体６を密着させることができる。
【００７１】
着用者が前にかがんでも、完全に胸の形を維持しながら、乳頭が露出するおそれがなく、内カップ体６を着用者の胸部に密着させることができる。
【００７２】
本発明は以上説述した通りの構成を備えるので、本発明に係る内カップ体２および６は、優れた可塑性と形状復元性を有し、着用者の胸部に密着しやすくなっている。これにより乳房４が垂れ下がらず、持ち上げられ、位置が定められる。同時に上げたり、中央に寄せたり、形を整える目的が達成される。
【００７３】
さらに、ブラジャーの内カップ体２，６の上縁が、外へ向かって折れないので、着用者の乳頭が露出されるのを防ぐ。
【００７４】
肩ストラップ３４と共に使用する場合、乳頭遮蔽部２３は、肩ストラップ３４を持ち上げ際のけん引力に影響を受けず、着用者の乳房４と密着する。着用者の乳房４が圧迫されることがないので、完全な形を保つことができる。
【００７５】
本発明によるブラジャーの内カップ体２と６を使用するブラジャー３は、型くずれがしにくく、長寿命化に寄与する。
【００７６】
胸元のあいたドレスで内カップ体６を使用する場合にも胸の形を完全に保つことができる。
【００７７】
本発明の実施態様を図面を用いて説述したが、実施形態は適宜変更することができる。
【図面の簡単な説明】
【００７８】
【図１】従来のブラジャーを着用するユーザを示す図である。
【図２】本発明によるブラジャー等の内カップ体の実施例の正面図である。
【図３】本発明によるブラジャー等の内カップ体の拡大断面図である。
【図４】本発明によるブラジャー等の内カップ体の別実施例である。
【図５】本発明によるブラジャー等の内カップ体をブラジャーで使用した状態を示す斜視図である。
【図６】図５のブラジャーの拡大断面図である。
【図７】図５におけるブラジャーの使用を示す概略図である。
【図８】本発明によるブラジャー等の内カップ体の、相対厚部の内面に筋状の突起部を設けた実施例の説明図である。
【図９】本発明によるブラジャー等の内カップ体の、相対厚部の内面に網状の突起部を設けた実施例の説明図である。
【図１０】本発明によるブラジャー等の内カップ体の、相対厚部の内面に螺旋状の突起部を設けた実施例の説明図である。
【図１１】本発明によるブラジャー等の内カップ体の、相対厚部の内面に点状の突起部を設けた実施例の説明図である。
【図１２】本発明によるブラジャー等の内カップ体の別の実施例を示す正面図である。
【図１３】図１２におけるブラジャー等の内カップ体の使用を示す概略図である。
【符号の説明】
【００７９】
２  ブラジャー等の内カップ体
２０  連結部
２１  凹部
２２  凸弧状部分
２３  乳頭遮蔽部
２４  相対厚部
２５  包覆部
２６  接続片
ａ  最低点
ｂ  最低点
ｃ  最低点ａと最低点ｂを結ぶ仮想直線
ｄ  最高点
ｅ  最高点ｄと仮想直線ｃの距離
ｆ  中間点ｊを結ぶ仮想直線
ｇ  中間点ｊ間の距離
ｊ  中間点
【図１】
2008019549.tif 000003
【図２】
2008019549.tif 000004
【図３】
2008019549.tif 000005
【図４】
2008019549.tif 000006
【図５】
2008019549.tif 000007
【図６】
2008019549.tif 000008
【図７】
2008019549.tif 000009
【図８】
2008019549.tif 000010
【図９】
2008019549.tif 000011
【図１０】
2008019549.tif 000012
【図１１】
2008019549.tif 000013
【図１２】
2008019549.tif 000014
【図１３】
2008019549.tif 000015